(57)【要約】      （修正有）【課題】内径が異なるリング状の接着テープを確実に保持出来、簡単に交換できるもので、実用的価値が高くて商品価値のあるテープホルダーを提供する。【解決手段】２つの固定ローラと１つの移動ローラとが二等辺三角形の各頂点に位置するように配置され、上記移動ローラの移動奇跡は両固定ローラを連結する直線に対し直交して両固定ローラに接近したり離隔するとともに二等辺三角形を崩さない方向であって、上記移動ローラは固定ローラから離隔する方向に常に付勢されていることを特徴とする。接着テープを外したり新たに保持する場合には、移動ローラを付勢に抗して固定ローラに接近するように移動するだけであって、しかも移動ローラはホルダーの外側において簡単に移動操作することができるので、接着テープの交換が極めて容易で、短時間で処理することができる。また、移動ローラの移動範囲寸法内において内径が異なった接着テープを強固に保持することができる。【選択図】図１
0003125601.tif 000002
【実用新案登録請求の範囲】
【請求項１】
２つの固定ローラと１つの移動ローラとが二等辺三角形の各頂点に位置するように配置され、上記移動ローラの移動奇跡は両固定ローラを連結する直線に対し直交して両固定ローラに接近したり離隔するとともに二等辺三角形を崩さない方向であって、上記移動ローラは固定ローラから離隔する方向に常に付勢されていることを特徴とする接着テープ用ホルダー。
【考案の詳細な説明】
【技術分野】
【０００１】
本考案は、内径が異なるリング状の接着テープを確実に保持し、簡単に交換できる接着テープ用ホルダーに関するものである。
【背景技術】
【０００２】
従来の接着テープ用ホルダーは、リング状の接着テープを嵌め付けるロータを着脱可能に設けたホルダー本体の一側にカッターを設けたものである。したがって、上記した従来のホルダーでは、ロータに嵌め付け可能な一種類の接着テープにしか使用できない。
【０００３】
また、対向する左右のコーンをスプリングにより接近するように付勢し、上記コーンの対向間隔内にリング状のテープを上から挿入させて保持したり、上に引き出して外すようにしたホルダーがある。
【特許文献１】実公昭５７-１１９７６号.公報
【０００４】
しかしながら、接着テープには複数種類のサイズがあり、種類によって接着テープの内径が異なっているので、従来のホルダーでは複数種類のテープに利用できない。
また、接着テープとロータとの嵌め付みが強固でないと、使用時に外れてしまう問題が点ある。
【０００５】
しかも、接着テープとロータとの嵌め付みをあまり強くすると、接着テープの交換に手間取ることになる。
【０００６】
更に、リング状の接着テープをコーンの付勢に抗して上から挿入したり引き出して外すので、多数回使用しているとスプリングの劣化によりコーンの付勢力が低下し、接着テープを強固に保持できないことがある。また、接着テープは内側において上記コーンで、外側において２個のローラーで点接触状に保持されているだけであるから、極めて保持力が弱くて使用時にホルダーから外れることがある。
【特許文献２】実公昭５７-１１９７６号.公報
【考案の開示】
【考案が解決しようとする課題】
【０００７】
解決しようとする問題点は、内径が異なるリング状の接着テープを確実に保持、又は簡単に交換できない点である。
【課題を解決するための手段】
【０００８】
２つの固定ローラと１つの移動ローラとが二等辺三角形の各頂点に位置するように配置したことを最も主要な特徴とする。
【考案の効果】
【０００９】
本考案の接着テープ用ホルダーは、二等辺三角形の各頂点に位置する３つのローラにより内側が弾性的に保持されるので、極めて強固であって、使用時にホルダーから外れたり抜け出ることがない。しかも内径の異なった接着テープの交換が極めて容易で、短時間で処理することができる。
【考案を実施するための最良の形態】
【００１０】
本考案は、考案の効果に前述した如く、内径の異なった接着テープを強固に保持し、簡単に接着テープを交換できる実用価値の高い画期的な構成を考え出した。
【実施例１】
【００１１】
図1.は本実施例１について図面に基づいて説明する。
本考案の接着テープ用ホルダー１は、台座部２の各端部に端部脚４、５を折り返し状に
して上向きに延設した構成である。上記した端部脚のうち、一方の端部脚４は横向きU字状で、先端に支持片６を連設し、この支持片６に２つの固定ローラ９、１０を枢着する。この支持片６は、端部脚４から延出する水平部７の先端に垂直部８を直立させたL字状で、この垂直部８の内側面に於ける上端部に上部固定ローラ９が、下端部に下部固定ローラ１０が夫々上下に並んで直線状に枢着されている。
【００１２】
上部固定ローラ９或いは下部固定ローラ１０の具体的構成の一例は第３図で示すように、垂直部８の内側面上下に軸筒１１を突設し、この上方の軸筒１１に固定ローラ９を、上方の軸筒１１に固定ローラ１０を回転自在に嵌め込み、更に各軸筒１１の先端部にストッパー１３を強固に嵌入して固定ローラ９、１０を支持したものである。
【００１３】
尚、固定ローラ９或いは固定ローラ１０は、同一の外径、長さを有していて、その外周面中央部には、係合溝１２が形成されている。
【００１４】
一方、台座部２の他方端に立設されている前記した他方の端部脚５は、台座部２の中央上部方向に向かって傾斜しており、この他方の端部脚５の先端一側に扁平な筒形状の支持筒１６が延長連設されている。
【００１５】
上記を支持筒１６は、傾斜部１７の先端に水平部１８を連設したものであり、この水平部１８の先端部に移動ローラ２６を移動可能に設ける。
【００１６】
上記移動ローラ２６を支持する具体的構成は、第５図、第６図に示す通りである。
【００１７】
即ち、水平部１８の内壁１８aの前端部には、長さ方向に沿って、長孔１９を開孔し、また外壁１８bの内面の上部と下部には、長さ方向に沿ってガイド条２０を設け、更に水平部１８内の上部と下部には、幅方向に沿ってリブ２１を設ける。
【００１８】
そして、水平部１８内には、長さ方向に沿って摺動が可能なプレート状の摺動子２２を配置する。この摺動子２２の外面には、前記したガイド条２０に係合するガイド溝２４を設け、摺動子２２の内面前端部には、前記した長孔１９に遊嵌して貫通する軸筒２３を突設し、また内面後端部には係止ピン２５を突設する。
【００１９】
従って、摺動子２２は、ガイド溝２４とガイド条２０との係合、上端面と下端面とがリブ２１に当接することによって、安定した状態で円滑に水平部１８内を長さ方向に沿って摺動することができるのであり、軸筒２３が長孔１９の後部に当接した位置が移動限となる。そして、端部脚５の内部に設けられた保持ピン３０に基端部が保持されたバネ２９の先端部が、摺動子２２の係止ピン２５に係止していて、摺動子２２を後方に付勢している。
【００２０】
長孔１９を貫通して突出する摺動子２２の軸筒２３には、固定ローラ９或いは固定ローラ１０よりも直径の大きい移動ローラ２６を回転自在に嵌め込み、更に軸筒２３の先端部にストッパー２８を強固に嵌入して移動ローラ２６を支持し、この移動ローラ２６の外周面中央部には、係合溝２７が周設されている。
【００２１】
前記した固定ローラ９、１０は上下に位置して連結する直線が縦方向で、前記支持筒１６の水平部１８は水平であって、この水平部１８の長さ方向に沿って移動ローラ２６が移動するので、２つの固定ローラ９、１０と移動ローラ２６とが二等辺三角形の各頂点に位置することになり、また移動ローラ２６の移動奇跡は両固定ローラ９、１０を連結する直線に対して直交する方向である。しかも、移動ローラ２６が移動しても両固定ローラとの
二等辺三角形が崩れることがなく、またバネ２９によって摺動子２２が後方に付勢されるので、移動ローラ２６は常に両固定ローラ９、１０から離れる方向に付勢されている。
【００２２】
尚、端部脚５下端からは外側上方に向けてカッター脚１４を立設し、このカッター脚１４の上端にはカッター片１５を設ける。
【００２３】
図面中、３１はリング状の保持体で内周面の中央に係合条３２を周設し、また外周面には幅方向に沿ってリブ３３を等間隔に複数設ける。
【００２４】
そして、この保持体３１の外周にリング形状の接着テープ３４を嵌め込んで保持するものであり、リブ３３によってその保持は確実なものになり、また、前記した各ローラ９、１０、２６が保持体３１に内接しているので、保持体３１は回転可能に支持されている。
【００２５】
従って、この保持体３１の内径は、各ローラ９、１０、２６の外縁によって形成される仮想される円の直径にほぼ等しい。
【００２６】
保持体３１を各ローラ９、１０、２６に支持するには、移動ローラ２６をバネ２９の付勢に抗して固定ローラ９、１０に近接する方向に移動させればよく、この移動によって上記した仮想される円の直径は小さくなり、保持体３１を簡単に嵌め込むことが可能となるのであり、保持体３１の内径に対応させて移動ローラ２６の移動量を調節すれば良い。
【００２７】
この保持体３１の嵌め込みに際し、各ローラ９、１０、２６の係合溝１２、２７に保持体３１の係合条３２を係合させることによって、各ローラ９、１０、２６による保持体３１の保持が確実なものとなる。
【００２８】
また、保持体３１を嵌め込んだ後、移動ローラ２６をバネ２９の付勢によって移動させると、保持体３１の内周面に各ローラ９、１０、２６が径方向に弾接することになり、確実な保持が保証され且つその維持が達成される。
【００２９】
そして使用に際しては、接着テープ３４を端部から引出すのであるが、各ローラ９、１０、２６は軸筒１１、２３に回転自在となっているので、保持体３１も円滑に回転し、上記引出しが簡単に行えることになり、所定量だけカッター脚１４のカッター片１５によって切断することができる。
【００３０】
尚、移動ローラ２６は直径の大きいものであるが、その直径を小型の接着テープ３５の内径に対応させておけば、この移動ローラ２６で小型の接着テープ３５を保持することができる。
【００３１】
以上、本考案を図面の実施例について説明したが、本考案は、上記した実施例に限定されるものではなく、実用新案登録請求の範囲に記載した構成を変更しない限りどのようにでも実施することができる。
【００３２】
例えば、移動ローラの付勢を他の構造にすることができるし、各ローラの外周面に浅い溝を設け、この溝に接着テープが係合するようにしてもよい。
【産業上の利用可能性】
【００３３】
以上説明したように、内径の異なった接着テープを確実に保持し、簡単に取り替えられることにより、利便性が高まり大いに市場性があると考えている。
【図面の簡単な説明】
【００３４】
【図１】本発明の実施例1の分解斜視図
【図２】一部断面正面図
【図３】一部断面平面図
【図４】側面図
【図５】一部拡大断面図
【図６】図5のVI-VIの線断面図
【図７】保持体の一部切欠き斜視図
【符号の説明】
【００３５】
1          
テープ用ホルダー
2、3         台座部
4、5         端部脚
6、6 
支持片
7、18        水平部
8            垂直部
9            上部固定ローラ
10           下部固定ローラ
11、 23      
軸筒
12、27、32  
係合溝
13、28       ストッパー
14           カッター脚
15           カッター
16、16       支持筒
17           傾斜部
19           長孔
20           ガイド条
21、33      
リブ
22           摺動子
24           ガイド溝
25           係止ピン
26           移動ローラ
29           バネ
29                           
保持ピン
30                           
リング状保持体
34           接着テープ
【図１】
0003125601.tif 000003
【図２】
0003125601.tif 000004
【図３】
0003125601.tif 000005
【図４】
0003125601.tif 000006
【図５】
0003125601.tif 000007
【図６】
0003125601.tif 000008
【図７】
0003125601.tif 000009
【手続補正書】
【提出日】平成18年6月20日(2006.6.20)
【手続補正１】
【補正対象書類名】明細書
【補正対象項目名】００３５
【補正方法】変更
【補正の内容】
【００３５】１                テープ用ホルダー
２、３            台座部
４、５            端部脚
６、６            支持片
７、１８          水平部
８                垂直部
９                上部固定ローラ
１０              下部固定ローラ
１１、２３        軸筒
１２、２７、３２  係合溝
１３、２８        ストッパー
１４              カッター脚
１５              カッター
１６、１６        支持筒
１７              傾斜部
１９              長孔
２０              ガイド条
２１、３３        リブ
２２              摺動子
２４              ガイド溝
２５              係止ピン
２６              移動ローラ
２９              バネ
３０              保持ピン
３１              リング状保持体
３４              接着テープ